(57)【要約】【課題】厚さを薄くしてもクッション効果が高く衝撃緩和力に優れており、しかも施行の容易な遊具用の安全マットを提供すること。【解決手段】加硫ゴムの複数の砕片にバインダーを加えて圧縮形成された安全マットにおいて、前記安全マット中に安全マットの水平方向に伸び安全マットを貫通する複数の管状の孔が設けられており、前記孔が格子状に交差しているので、高い衝撃吸収性が得られ、安全マットの厚さを薄くしても十分な衝撃緩和力が得られる。したがって公園等において遊具が設置されている箇所やその周辺に設置する際に、安全マットを薄く軽量化できるので、施行が容易となる。【選択図】図１
2004290280.tif 000002
【特許請求の範囲】
【請求項１】
加硫ゴムの複数の砕片にバインダーを加えて圧縮形成された安全マットにおいて、前記安全マット中に安全マットの水平方向に伸び安全マットを貫通する複数の管状の孔が設けられており、前記孔が格子状に交差していることを特徴とする安全マット
【請求項２】
前記孔が安全マットの上下方向に２段以上に形成され、かつ上下の一方の段に形成された複数の孔に対して他方の段に形成された複数の孔が格子状に交差していることを特徴とする安全マット
【発明の詳細な説明】
【０００１】
【産業上の利用分野】
本発明は、安全マットに関する。より詳細には、公園等において、すべり台、ブランコ、ジャングルジム、鉄棒、雲梯等のような遊具が設置されている箇所やその周辺に設置する安全マットに関する。
【０００２】
【従来の技術】
公園等において遊具が設置されている箇所やその周辺に、遊具を使用する子供が落下、転倒した時に受ける衝撃を弱め、事故を軽減する安全対策として、人工芝やゴムシート等を敷設している。
【０００３】
しかしながら、人工芝はクッション効果が極めて低く衝撃緩和力が乏しい。
また、ゴムシートで衝撃緩和するには十分な厚さを必要とし、ゴムシートを設置した部分と設置しない部分との高さを合わせるため、施行時に地面を深く掘り下げる必要がある。また重くなり作業性が悪い。
【０００４】
【発明が解決しようとする課題】
本発明の目的は、厚さを薄くしてもクッション効果が高く衝撃緩和力に優れており、しかも施行の容易な遊具用の安全マットを提供することにある。
【０００５】
【課題を解決するための手段】
上記目的を達成するため、請求項１記載の発明は、加硫ゴムの複数の砕片にバインダーを加えて圧縮形成された安全マットにおいて、前記安全マット中に安全マットの水平方向に伸び安全マットを貫通する複数の管状の孔が設けられており、前記孔が格子状に交差していることを特徴とするものである。
【０００６】
安全マットは、加硫ゴムの複数の砕片をバインダーで繋ぎ合せた構造であるため、砕片間に微小空隙が形成され衝撃吸収性が高いものとなる。安全マット中には安全マットの水平方向に伸びる管状の孔が設けられているので、安全マットの上面に荷重が掛かると管状の孔が変形して衝撃を吸収し、周囲のゴム部が変形する際の逃げ部となる。管状の孔は安全マットを貫通するように長く形成されているので孔が変形して孔内の空気を外部に排出するのに時間を要することより衝撃が減衰緩和される。
【０００７】
また、孔は格子状に交差しているので、安全マット全体に均一に孔が形成されるとともに、荷重により安全マットが変形する際のゴムの逃げ部が周囲に十分に設けられるので、安全マットの全ての部分で大きな偏りを生じること無く十分な衝撃吸収性が得られる。
【０００８】
請求項２記載の発明は、請求項１記載の安全マットにおいて、孔が安全マットの上下方向に２段以上に形成され、かつ上下の一方の段に形成された複数の孔に対して他方の段に形成された複数の孔が格子状に交差していることを特徴とするものである。
【０００９】
したがって、金型内に金属棒等を挿入しておくだけで安全マット中に孔を形成することができるので、安全マットの製造が容易となる。
【００１０】
【発明の実施の形態】
図１は本発明の実施形態の安全マット１を示している。この安全マット１は、加硫ゴムの複数の砕片にバインダーを加えて圧縮形成されたもので、一辺が５００ｍｍの正方形で、厚さが５０ｍｍに形成されている。加硫ゴムの砕片としては自動車の廃タイヤを粉砕したもの等が用いられる。使用される加硫ゴムの材質は特に限定されるものではなく、天然ゴム、イソプレンゴム、スチレンブタジエンゴム、ブタジエンゴム、クロロプレンゴム、ニトリルゴム、ブチルゴム、エチレンプロピレンゴム、ウレタンゴム、シリコーンゴム、フッ素ゴム等を単独またはブレンドして使用することができる。砕片の大きさは本実施形態においては長さが約２０ｍｍ程度のひじき形状のものを使用した。バインダーは砕片同士を強固に接合できればその種類は特に限定されるものではなく、本実施形態においてはウレタン樹脂を使用している。
【００１１】
安全マット１中には、安全マット１の水平方向に伸びて安全マット１を貫通し安全マット１の一辺に平行な直径約１０ｍｍの１６個の孔２と、孔２と同様に安全マット１の水平方向に伸びて安全マット１を貫通し孔２と直交して交差する互いに平行な直径約１０ｍｍの１６個の孔３が設けられている。孔２および孔３をそれぞれ平行に形成し、さらに孔２と孔３を交差させることにより、安全マット１全体に均一により多くの孔を形成できる。
【００１２】
安全マット１を公園等において遊具が設置されている箇所やその周辺に施工する場合、図１に示すように、安全マット１を複数枚連結して取り付ける。この場合、安全マット１の孔同士が連通するように取付けるようにすると、孔内の空気の逃げ部がより長くなり衝撃がより減衰緩和される。マット同士の連結は、接着、係合など、種々の方法で連結可能である。
【００１３】
図２に示すように、本発明の安全マット１に、衝撃Ｆが加わった場合、管状の孔２、３が周囲のゴムが変形する際の逃げ部となり、安全マット１が、十分撓んで衝撃を吸収する。このとき、孔２、３の内部の空気が長い管を通って砕片間の微小空隙や、マット端面およびマットの継ぎ目から徐々に外部に排出されるので、衝撃が減衰緩和される。このように、本発明の安全マット１は、加硫ゴムの複数の砕片を繋ぎ合せて砕片間に微小空隙を形成させるとともに、安全マット１中に安全マット１を貫通する孔２、３を形成しているので、安全マット１が荷重を受けて変形し易くまた孔２、３が時間をかけて変形するので、衝撃が減衰緩和されて高い衝撃吸収性が得られる。
【００１４】
本実施形態においては、孔２と孔３は安全マット１の上下位置を変えて、すなわち孔２は安全マット１の上段に設けられ、孔３は安全マット１の下段に設けられている。このように交差する孔の上下位置を変えることにより、安全マットの成形時に金型内に金属棒等を挿入しておくだけで安全マット中に孔を形成することができる。
【００１５】
なお、本発明は上記実施形態に限定されるものではなく種々変形実施可能である。例えば、安全マット１の形状を長方形、三角形や円形等にしたり、大きさを変更したりしても良い。また、安全マット１中に設けられる孔２、３は上下２段に形成するばかりでなく、同一高さで交差させても良く、上下３段以上に形成しても良い。さらに孔２、３の断面形状、大きさ、本数等も任意である。また、孔は必ずしも安全マットの一辺および他の孔と平行である必要はなく、さらに孔２と孔３は交差していれば必ずしも直交している必要はない。
【００１６】
【発明の効果】
本発明の安全マットは、加硫ゴムの複数の砕片を繋ぎ合せたもので、安全マット中に安全マットの水平方向に伸び安全マットを貫通する複数の管状の孔が設けら、前記孔が格子状に交差しているので、高い衝撃吸収性が得られ、安全マットの厚さを薄くしても十分な衝撃緩和力が得られる。したがって公園等において遊具が設置されている箇所やその周辺に設置する際に、安全マットを薄く軽量化できるので、施行が容易となる。
【００１７】
また、安全マット中に設ける孔を安全マットの上下方向に２段以上に形成し、かつ上下の一方の段に形成した複数の孔に対して他方の段に形成した複数の孔を格子状に交差させることにより、金型内に金属棒等を挿入しておくだけで安全マット中に孔を形成することができるので、安全マットの製造が容易となる。
【図面の簡単な説明】
【図１】本発明の安全マットを示す斜視図である。
【図２】本考案の安全マットの側面図である。
【符号の説明】
１  安全マット
２、３  孔
４  空気
【図１】
2004290280.tif 000003
【図２】
2004290280.tif 000004